(57)【要約】【課題】バッテリーコネクターの生産率を増加させ、製造コストを低減させること。【解決手段】バッテリーコネクターは、絶縁ハウジングと、複数の端子とを有する。前記絶縁ハウジングは、横部分と、垂直部分とを有する。前記横部分は複数の貫通穴を有する。前記垂直部分は複数の開放スロットを有する。各端子は、前記絶縁ハウジングに取り付けられており、円形状の断面と、取付け部分と、弾性部分と、接触部分とを有する。前記取付け部分は１つの貫通穴に取り付けられている。前記接触部分は１つの開放スロットに取り付けられている。各端子は曲げ加工により作られている。これにより、バッテリーコネクターの生産率を増加させ、製造コストを低減させる。【選択図】図３
0003142930.tif 000002
【実用新案登録請求の範囲】
【請求項１】
絶縁ハウジングと、それぞれが該絶縁ハウジングに取り付けられた複数の端子とを含み、
前記絶縁ハウジングは、上部と、下部と、前端部と、後端部と、整列された貫通穴と、それぞれが該貫通穴と対応し、前記貫通穴と連通する整列された位置決め通路と、それぞれが前記上部に形成され、前記位置決め通路と対応し、該位置決め通路を横断する整列された制限ブロックとを有する横部分と、
該横部分の前記前端部において前記上部に形成され、該上部から垂直に突出する垂直部分とを有し、
該垂直部分は、それぞれが前記位置決め通路と連通する整列された開放スロットを有し、
各開放スロットは、相対する２つの側部と、開放された下部とを有し、
各端子は、前記貫通穴、前記位置決め通路及び前記開放スロットと対応しており、円形の断面と、前記絶縁ハウジングの前記横部分に取り付けられたＬ字状の取付け部分であって前記横部分の対応する貫通穴に取り付けられた垂直部と該垂直部に形成され、前記垂直部から実質的に垂直に突出する水平部とを有する取付け部分と、該取付け部分の前記水平部に形成され、該水平部から突出するＵ字状の弾性部分と、該弾性部分に形成され、前記弾性部分から突出する接触部分とを有し、
前記取付け部分の前記水平部は、対応する位置決め通路に取り付けられ、該位置決め通路を横断する前記制限ブロックにより固定されており、前記弾性部分は、対応する開放スロットの前記下部に取り付けられており、選択的に圧縮され、前記接触部分は対応する開放スロットから前方へ伸びている、バッテリーコネクター。
【請求項２】
各端子は曲げ加工により直線状の円筒部材から作られている、請求項１に記載のバッテリーコネクター。
【請求項３】
前記絶縁ハウジングの各貫通穴は狭窄部分を有し、各端子の前記取付け部分は、前記垂直部に形成された膨らみ部を有し、該膨らみ部は、対応する貫通穴の前記狭窄部分の下方に位置し、該狭窄部分を押す、請求項２に記載のバッテリーコネクター。
【請求項４】
前記絶縁ハウジングの各開放スロットは、該開放スロットの一方の側部に形成されたガイドレールを有し、各端子の前記接触部分は、端部と、該端部に形成され、前記端部から横方向に突出するスライドフックとを有し、該スライドフックは前記ガイドレールに沿って滑動可能である、請求項３に記載のバッテリーコネクター。
【請求項５】
各開放スロットの前記ガイドレールは前壁を有し、各端子の前記スライドフックは対応する開放スロットの前記前壁に選択的に引っ掛かる、請求項４に記載のバッテリーコネクター。
【請求項６】
各端子の前記弾性部分は前記取付け部分の前記水平部から実質的に垂直に突出しており、各端子の前記接触部分は、Ｕ字状であり、前記弾性部分から実質的に垂直に突出している、請求項３に記載のバッテリーコネクター。
【請求項７】
各端子の前記弾性部分は前記取付け部分の前記水平部から実質的に垂直に突出しており、各端子の前記接触部分は、Ｕ字状であり、前記弾性部分から実質的に垂直に突出している、請求項４に記載のバッテリーコネクター。
【請求項８】
各端子の前記弾性部分は前記取付け部分の前記水平部から実質的に垂直に突出しており、各端子の前記接触部分は、Ｕ字状であり、前記弾性部分から実質的に垂直に突出している、請求項５に記載のバッテリーコネクター。
【考案の詳細な説明】
【技術分野】
【０００１】
本考案は、絶縁ハウジングと、それぞれが該絶縁ハウジングに固定された複数の端子とを有するバッテリーコネクターに関する。
【背景技術】
【０００２】
図１に示すように、従来のバッテリーコネクターには、絶縁ハウジング１と、端子セット２と、取付けブラケット２０とを有するものがある（特許文献１参照）。絶縁ハウジング１は、開放された下部と、複数の通路とを有する。端子セット２は、それぞれが絶縁ハウジング１の前記通路に取り付けられた複数の端子２１を有する。取付けブラケット２０は、絶縁ハウジング１の前記下部に取り付けられており、端子２１を保持する。前記バッテリーコネクターはプレス成形により不正確に製造されている。このため、前記バッテリーコネクターの製造を失敗しやすく、前記バッテリーコネクターの生産率が低下する。プレス成形による制限のため、前記端子の小型化が困難である。このため、前記バッテリーコネクターは、小型ではなく、かなりの大きさを有する。
【特許文献１】米国特許第６、５４０、５６７号明細書
【０００３】
図２に示すように、従来の他のバッテリーコネクターの端子は、取付け部分５と、弾性アーム部分４、接触部分３とを有する（特許文献２参照）。取付け部分５は前記バッテリーコネクターの絶縁ハウジングに取り付けられている。弾性アーム部分４は取付け部分５から突出している。接触部分３は弾性アーム部分４から突出している。前記端子は、複雑な形状を有し、プレス成形により不正確に製造されており、前記絶縁ハウジングに良く適合しない。このため、前記端子の不慮の変形又は破損が生じる。
【特許文献２】米国特許第６、３１５、６２１号明細書
【考案の開示】
【考案が解決しようとする課題】
【０００４】
本考案は、前記した問題点を改善するバッテリーコネクターを提供する。
【０００５】
本考案の目的は、絶縁ハウジングと、それぞれが該絶縁ハウジングに固定された複数の端子とを有するバッテリーコネクターを提供することである。
【課題を解決するための手段】
【０００６】
本考案に係るバッテリーコネクターは、絶縁ハウジングと、複数の端子とを有する。前記絶縁ハウジングは、横部分と、垂直部分とを有する。前記横部分は複数の貫通穴を有する。前記垂直部分は複数の開放スロットを有する。各端子は、前記絶縁ハウジングに取り付けられており、円形状の断面と、取付け部分と、弾性部分と、接触部分とを有する。前記取付け部分は１つの貫通穴に取り付けられている。前記接触部分は１つの開放スロットに取り付けられている。各端子は曲げ加工により作られている。これにより、バッテリーコネクターの生産率を増加させ、製造コストを低減させる。
【０００７】
本考案の他の目的、利点及び新規な特徴は、添付の図面に関する以下の詳細な説明からより明らかになる。
【考案を実施するための最良の形態】
【０００８】
図３、４に示すように、バッテリーコネクター１００は、絶縁ハウジング３０と、複数の端子４１とを含む。
【０００９】
図５に示すように、絶縁ハウジング３０はプリント回路基板Ａに取り付けられる。絶縁ハウジング３０は、プラスチックで作られおり、横部分３１と、垂直部分３２とを有する。
【００１０】
横部分３１は、上部３１０と、下部と、前端部と、後端部と、整列された貫通穴３１１と、整列された位置決め通路３１２と、整列された制限ブロック３１３とを有する。各貫通穴３１１は、上部３１０から前記下部へ横部分３１を垂直に貫いて設けられ、狭窄部分３１１５を有する。狭窄部分３１１５は上部３１０の近傍に位置する。各位置決め通路３１２は、上部３１０から前記下部へ横部分３１を貫いて設けられ、貫通穴３１１と対応し、該貫通穴３１１と連通している。各位置決め通路３１２は、相対する２つの側部を有する。各制限ブロック３１３は、上部３１０に形成され、位置決め通路３１２と対応し、該位置決め通路を横断している。各制限ブロック３１３は、図６に示すように、それぞれが対応する位置決め通路３１２の前記側部に隣接して上部３１０に形成され、該頂部から突出する２つの突起３１３ａから形成される。突起３１３ａは、制限ブロック３１３を形成するため、熱せられ、溶かされ、結合される。
【００１１】
垂直部分３２は、横部分３１の前記前端部において上部３１０に形成され、該上部から垂直に突出している。垂直部分３２は、整列された開放スロット３２１を有する。各開放スロット３２１は、垂直部分３２を垂直に貫き、位置決め通路３１２と連通している。各開放スロット３２１は、相対する２つの側部３２１２と、開放された下部３２１３と、ガイドレール３２１４とを有する。ガイドレール３２１４は、開放スロット３２１の一方の側部３２１２に形成されており、ガイドレール３２１４から突出する前壁３２１５を有する。
【００１２】
各端子４１は、絶縁ハウジング３０の貫通穴３１１、位置決め通路３１２及び開放スロット３２１と対応し、貫通穴３１１、位置決め通路３１２及び開放スロット３２１に取り付けられている。各端子４１は、金属ロッド又はワイヤのような直線状の円筒金属部材から曲げ加工により作られている。各端子４１は、円形状の断面と、取付け部分４１３と、弾性部分４１１と、接触部分４１２とを有する。
【００１３】
取付け部分４１３は、Ｌ字状であり、横部分３１に取り付けられている。取付け部分４１３は、垂直部４１３２と、水平部４１３１と、膨らみ部４１３３とを有する。垂直部４１３２は、絶縁ハウジング３０の横部分３１の対応する貫通穴３１１に取り付けられている。水平部４１３１は、垂直部４１３２に形成され、該垂直部から実質的に垂直に突出している。水平部４１３１は、対応する位置決め通路３１２に取り付けられており、該位置決め通路を横断する制限ブロック３１３により固定されている。膨らみ部４１３３は水平部４１３１に隣接して垂直部４１３２に形成されている。垂直部４１３２が貫通穴３１１に引き込まれる又は該貫通穴から抜け出るのを防ぐため、膨らみ部４１３３は、対応する貫通穴３１１の狭窄部分３１１５の下方にあって該狭窄部分を押す。
【００１４】
弾性部分４１１は、Ｕ字状であり、取付け部分４１３の水平部４１３１に形成され、該水平部から実質的に垂直に突出している。弾性部分４１１は、対応する開放スロット３２１の下部３２１３に取り付けられており、選択的に圧縮される。下部３２１３は、弾性部分４１１を保持し、該弾性部分が不注意に動かされるのを防止する。
【００１５】
接触部分４１２は、Ｕ字状であり、弾性部分４１１に形成され、該弾性部分から実質的に垂直に突出している。接触部分４１２はバッテリー５１ａ、５１ｂの接点に選択的に接触する。接触部分４１２は、端部と、スライドフック４１２２とを有する。スライドフック４１２２は、接触部分４１２の前記端部に形成され、該端部から横方向に突出している。スライドフック４１２２は、ガイドレール３２１４に沿って滑動可能であり、該ガイドレールの前壁３２１５に選択的に引っ掛かる。前壁３２１５は、接触部分４１２が復元しない変形を引き起こすように不注意に引き出されることを防止する。接触部分４１２の長さは、より長いバッテリー５１ａ又はより短いバッテリー５１ｂに適合するように修正される。バッテリー５１ａ、５１ｂがバッテリーコネクター１００に接続され、端子４１の接触部分４１２を押しているとき、弾性部分４１１は、圧縮され、押し込められる。接触部分４１２は、スライドフック４１２２がガイドレール３２１４に沿って滑動して、開放スロット３２１の中へ後方に動く。ガイドレール３２１４は、接触部分４１２が不注意に曲げられ又は復元しない変形を生じるのを防止するため、スライドフック４１２２の移動を案内し、制限する。
【００１６】
端子４１は曲げ加工により容易に製造されている。このことは、バッテリーコネクターの生産率を増加させ、製造コストを低減させる。端子４１は小さい構造に曲げられている。バッテリーコネクター１００は小型で持運び可能な電子装置のために効率的に小型化されている。制限ブロック３１３及びガイドレール３２１４は、端子４１が絶縁ハウジング３０から抜け落ちる又は変形するのを防止する。このため、バッテリーコネクター１００は頑丈で耐久性に優れる。
【図面の簡単な説明】
【００１７】
【図１】従来のバッテリーコネクターの分解斜視図。
【図２】従来のバッテリーコネクターの端子の斜視図。
【図３】本考案に係るバッテリーコネクターの分解斜視図。
【図４Ａ】図３に示したバッテリーコネクターの斜視図。
【図４Ｂ】図４Ａの線Ｉにおけるバッテリーコネクターの拡大図。
【図５】プリント回路基板に取り付けられ、バッテリーに接続されたバッテリーコネクターの断面図。
【図６】半製品のバッテリーコネクターの斜視図。
【符号の説明】
【００１８】
３０    絶縁ハウジング
３１    横部分
３２    垂直部分
４１    端子
１００    バッテリーコネクター
３１０    上部
３１１    貫通穴
３１３    制限ブロック
３２１    開放スロット
４１１    弾性部分
４１２    接触部分
４１３    取付け部分
３１１５    狭窄部分
３２１２    側部
３２１３    下部
３２１４    ガイドレール
３２１５    前壁
４１２２    スライドフック
４１３１    水平部
４１３２    垂直部
４１３３    膨らみ部
【図１】
0003142930.tif 000003
【図２】
0003142930.tif 000004
【図３】
0003142930.tif 000005
【図４Ａ】
0003142930.tif 000006
【図４Ｂ】
0003142930.tif 000007
【図５】
0003142930.tif 000008
【図６】
0003142930.tif 000009